(57)【特許請求の範囲】
【請求項１】
単相３線式分電盤におけるＬ１，Ｌ２の２つの電圧極と１つの中性極とからなる少なくとも３つの母線夫々から，該母線に対して分岐開閉器を配設する方向に複数の分岐開閉器接続部を延出させるとともに，
該複数の分岐開閉器接続部のうち，夫々の分岐開閉器毎に選択的に接続される２つの分岐開閉器接続部を，
分岐開閉器の操作部が設けられた前面側からの平面視で，互いに重ならないように配設したことを特徴とする単相３線式分電盤の母線構造。
【請求項２】
前記分岐開閉器の分電盤への取付面となる背面から前記操作部が設けられた前面への方向を高さ方向とした場合に，前記分岐開閉器に選択的に接続される前記２つの分岐開閉器接続部の高さを同一に設けたことを特徴とする請求項１記載の単相３線式分電盤の母線構造。 
【請求項３】
前記分岐開閉器接続部が，前記母線の延出方向とは直交する方向に延出していることを特徴とする請求項１若しくは請求項２記載の単相３線式分電盤の母線構造。
【請求項４】
前記３つの母線のうち，
Ｌ１，Ｌ２の電圧極の母線を同一形状に形成し，
中性極の母線を前記高さ方向において最上段に配設するとともに，
Ｌ１，Ｌ２の電圧極の母線を前記中性極よりも低い位置で同一高さに配設し，
なおかつ，夫々の母線の延出方向において中性極の両側に前記電圧極の母線を点対称に配設したことを特徴とする請求項１乃至請求項３記載のうち何れか１項に記載の単相３線式分電盤の母線構造。
【発明の詳細な説明】
【技術分野】
【０００１】
本発明は，単相３線式分電盤の母線構造に関し，詳しくは，各極の母線のうち２つの極の母線を分岐開閉器と選択的に接続することにより，母線から分岐開閉器に供給する電圧を種々変更可能とした分電盤の母線構造に係る。
【背景技術】
【０００２】
母線から分岐開閉器に供給する電圧を種々変更可能とした分電盤としては，例えば特許文献１及び特許文献２のように，母線側に，分岐開閉器の端子と接続する母線を選択的に切替える切替装置を設けて構成したものがある。
【０００３】
まず，特許文献１においては，図１３に示したように，主電路を形成するブスバー（特許文献１の符号１，２，３）と，分岐開閉器の端子に接続されるブスバーの足部（特許文献１の符号１０１，３０１，６０１等）の間に，切替装置を設けて構成している。この切替装置は，該切替装置を構成する接続バー（特許文献１の符号６）に設けられた長穴（特許文献１の符号６０２）と切替片（特許文献１の符号８）の穴部に共に貫通させた切替ネジ（特許文献１の符号７）の位置を前記長穴の一端もしくは他端に移動させて導通させる導体を選択し，分岐開閉器の端子に接続される導体を切替えて，母線から分岐開閉器に供給する電圧を変更するものである。
【０００４】
また，特許文献２においては，図１４に示したように，特許文献１と同じく，主電路を形成するブスバー（特許文献２の符号１１，１２，１３）と，分岐開閉器の端子に接続されるブスバーの接続部（特許文献２の符号１３０１，２００１等）の間に，切替装置を設けて構成している。そして切替装置を構成する送り板（特許文献２の符号２０）に設けられた長穴部と筒状導体子（特許文献２の符号１８）に共に貫通させたねじ（特許文献２の符号１７）の位置を前記長穴の一端もしくは他端に移動させて導通させる導体を選択し，分岐開閉器の端子に接続されるブスバーを切替えて，母線から分岐開閉器に供給する電圧を変更するものである。
【先行技術文献】
【特許文献】
【０００５】
【特許文献１】特開平９−２７１１０８
【特許文献２】特開２００２−１３５９１２
【発明の概要】
【発明が解決しようとする課題】
【０００６】
上述した，母線側に，分岐開閉器の端子と接続する母線を選択的に切替える切替装置を設けたものにあっては，次に示したような課題があった。
【０００７】
まず，切替装置を母線側に設けるための独特の構造として，前述の接続バーと送り板，また，これら接続バーと送り板に付随する切替ネジと切替片や筒状導体子などの多くの部材が必要になることが挙げられる。前記切替装置は，分電盤に配設する全ての分岐回路毎に設ける構造であるから，母線全体に関わる部品点数が非常に多くなり，これに応じて部品コスト並びに組み立てコストが増加し，コストダウンしにくいという課題があった。また，分岐回路の中には，分電盤の施工時以降，前記切替装置を一度も操作しないまま長年が経過するものもあり，必ずしも前記切替装置が有効に活用されないということも挙げられる。
【０００８】
次に，前記切替装置は，その構造上，該切替装置を操作するためには，母線の一次側に設けている主開閉器をオフにした状態で切替ネジを操作する必要があり，負荷回路の電源供給を一旦止める必要があり，継続的に電源供給が必要な場合には不便を生じてしまうという課題があった。また，切替ネジを操作する際には，一旦ネジを緩め，該切替ネジの場所を移動させ，再度ネジを締める必要があり，仮に，切替ネジの規定締付トルクに達しない状態で切替操作を完了した場合には，電気安全が充分に保たれなくなるおそれがあることが想定される。
【０００９】
次に，分岐開閉器に供給する電圧がいくらであるのかが直接的には把握しにくくなる恐れがあるという課題があった。切替装置における切替部を模式的に示した図１５を参照して説明するが，切替の状態を表す長穴の部分に位置するねじ頭に着目すると，（ａ）については，それぞれのネジ頭の並びが規則的であり，分岐開閉器にどの母線が接続されているのか，即ち母線から供給される電圧がいくらであるのかはネジ頭の位置により一見して把握できる。ここで，一部分の切替装置を操作して接続を切替えた場合を示した（ｂ）については，図中右側に位置するねじ頭の並び方が左側や中央部分の他のネジ頭の並び方とは変わっており，並び具合を見ることで，選択されている母線が変わっていることが把握できる。ところが，多くの切替装置について接続を切替えた場合を示した（ｃ）については，ネジ頭の並び方がまちまちで全体的に不規則となり，分岐開閉器にどの母線が接続されているのかが非常に把握しづらいものとなる。
【００１０】
このため，切替装置のうち，一部分の装置のみを変更した場合には，分岐開閉器にいくらの電圧を供給しているのかは容易に把握できるが，接続を変更した切替装置の数が増えてくると，一転して把握が難しくなり，作業をする者にとっては，接続を行うときや接続後に確認を行う場合において誤解が生じやすくなるおそれがあった。分岐開閉器に誤った母線を選択して接続した場合には負荷側の電路に不用な電圧が供給されることになり，その場合には負荷側の配線や電気機器に損傷が生じてしまうおそれがある。また，多数のネジの切替作業（緩め，移動，締付）を要することから作業性の改善が望まれている。
【００１１】
そこで，本発明は，上記問題に鑑みてなされたもので，
分岐開閉器と各極の母線のうち２つの極の母線を選択的に接続する母線の構造を，
部品コスト並びに組み立て工数を削減しつつ，
前記分岐開閉器と母線を接続するときに複数の分岐開閉器に対しても，どの分岐開閉器がどの母線を選択して接続しているのかを直接的に把握しやすく，
また，分岐開閉器への電圧を切替させるときにおいても，切替対象とならない分岐回路においては継続的に電源供給を行えるとともに，切替に伴う電気安全が保たれ，
作業効率を向上させることができる分電盤の母線構造を提供することを目的とする。
【課題を解決するための手段】
【００１２】
本発明に係る分岐開閉器は，上述の課題を解決すべく構成されたもので，単相３線式分電盤におけるＬ１，Ｌ２の２つの電圧極と１つの中性極とからなる少なくとも３つの母線夫々から，該母線に対して分岐開閉器を配設する方向に複数の分岐開閉器接続部を延出させるとともに，該複数の分岐開閉器接続部のうち，夫々の分岐開閉器毎に選択的に接続される２つの分岐開閉器接続部を，分岐開閉器の操作部が設けられた前面側からの平面視で，互いに重ならないように配設したことを特徴として単相３線式分電盤の母線構造を提供した。
【００１３】
かかる構成によれば，分岐開閉器を母線に接続する際に，作業者が分電盤に臨む方向，即ち分岐開閉器の操作部が設けられた前面側からの平面視において，分岐開閉器と接続する側の分岐開閉器接続部を明確に把握することが可能となり，どの分岐開閉器がどの母線を選択して接続しているのかを直接的に把握しやすくなる。
【００１４】
また，前記分岐開閉器の分電盤への取付面となる背面から前記操作部が設けられた前面への方向を高さ方向とした場合に，
前記分岐開閉器に選択的に接続される前記２つの分岐開閉器接続部の高さを同一に設けたことを特徴として単相３線式分電盤の母線構造を提供してもよい。
【００１５】
かかる構成によれば，前記分岐開閉器の操作部が設けられた前面側からの平面視において，夫々の母線における分岐開閉器接続部に対する視認性が合わせられ，さらに視認性がよくなる。
【００１６】
前記分岐開閉器接続部が，前記母線の延出方向とは直交する方向に延出していることを特徴として単相３線式分電盤の母線構造を提供してもよい。
【００１７】
かかる構成によれば，分岐開閉器を並設配置する際に，並設方向の長さを最小にでき，部品コストを低減できるとともに，夫々の母線における分岐開閉器接続部に対する視認性が合わせられ，視認性を向上することができる。
【００１８】
また，前記３つの母線のうち，Ｌ１，Ｌ２の電圧極の母線を同一形状に形成し，中性極の母線を前記高さ方向において最上段に配設するとともに，Ｌ１，Ｌ２の電圧極の母線を前記中性極よりも低い位置で同一高さに配設し，なおかつ，夫々の母線の延出方向において中性極の両側に前記電圧極の母線を点対称に配設したことを特徴として単相３線式分電盤の母線構造を提供してもよい。
【００１９】
かかる構成によれば，電圧極の母線を共通化することにより母線の種類を低減できるから，分電盤に用いる部品点数を削減できるとともに，中性極の母線を最上段に配設したから，作業者が作業時において，母線に不用意に触れることがあっても感電する恐れを最小限に抑えることができる。
【発明の効果】
【００２０】
以上の如く，本発明によれば，分岐開閉器と各極の母線のうち２つの極の母線を選択的に接続する母線の構造を，
部品コスト並びに組み立て工数を削減しつつ，
前記分岐開閉器と母線を接続するときに複数の分岐開閉器に対しても，どの分岐開閉器がどの母線を選択して接続しているのかを直接的に把握しやすく，
また，分岐開閉器への電圧を切替させるときにおいても，切替対象とならない分岐回路においては継続的に電源供給を行えるとともに，切替に伴う電気安全が保たれ，
作業効率を向上させることができる分電盤の母線構造を提供することができる。
【図面の簡単な説明】
【００２１】
【図１】第１の実施形態を示す内器ユニットの外観斜視図を示す。
【図２】同実施形態に係る分岐開閉器を取り外した場合の手前側から見た外観斜視図を示す。
【図３】同実施形態に係る分岐開閉器を取り外した場合の奥側から見た外観斜視図を示す。
【図４】同実施形態に係る各極の母線の分解斜視図を示す。
【図５】母線固定台に電圧極の母線を取付ける説明図を示す。
【図６】絶縁壁に中性極の母線を取付ける説明図を示す。
【図７】母線固定台と絶縁壁を組付ける説明図を示す。
【図８】分岐開閉器取付板に，絶縁壁を組付けた母線固定台を取付ける説明図を示す。
【図９】分岐開閉器を取付ける説明図を示す。
【図１０】分岐開閉器を取付ける説明図を示す。
【図１１】全回路に分岐開閉器を配置した図を示す。
【図１２】一部の分岐開閉器の電圧を切替えて配置した時の図を示す。
【図１３】一部の分岐開閉器の電圧を切替えて配置した時の図を示す。
【図１４】従来の接続状態を表わした図を示す。
【図１５】従来の接続状態を表わした図を示す。
【図１６】従来の接続状態における複数個所で切替を行った図を示す。
【発明を実施するための形態】
【００２２】
次に本発明の実施形態を図面にて詳細に説明する。
（第１の実施形態）
まず，第１の実施形態に係る母線構造の外観構成について，図１乃至図３を用いて説明する。
【００２３】
図１は，本実施形態に係る母線構造を用いて構成した内器ユニット１０の斜視図を示したものである。該内器ユニット１０は，各極の３つの母線１並びに該各極の３つの母線１を絶縁するための絶縁壁４を取付けた母線固定台３と，該母線固定台３を載置する分岐開閉器取付板２と，母線固定台３に取付けられた母線のうち２つの母線に選択的に接続されるとともに，分岐開閉器取付板２に取付けられる分岐開閉器５を備えている。本内器ユニット１０は，分岐開閉器５を最大８個まで取付可能な８回路用を例示している。
【００２４】
前記内器ユニット１０は，住宅用分電盤を構成するキャビネットの内部に配設される中底を構成するもので，主開閉器の取付板と共に前記キャビネット内部に固定して用いる。
【００２５】
各極の３つの母線１は，その幹となる部分が分岐開閉器５を並設する方向に延出され，中性極の母線１１の両側にＬ１，Ｌ２の２つの電圧極の母線１２，１３が配置される。本実施形態の場合，前記幹となる部分を境として両側に分岐開閉器が設けられており，図１において，前記幹となる部分が延出する方向に対して手前側がＬ２の電圧極であり，奥側がＬ１の電圧極である。また，前記内器ユニット１０は，分岐回路数に応じて，回路数が増加する場合は母線１の延出する長さを増加させ，回路数が減少する場合は母線１の延出する長さを減少させて種々態様にて構成する。
【００２６】
前記各極の３つの母線１の幹となる部分が延出する方向の両側に前記内器ユニット１０に取付けられて設けられた分岐開閉器５は，前記各極の３つの母線１が延出する方向とは直交する方向に，母線１並びに分岐開閉器取付板２と取付け若しくは取外しされ，前記各極の３つの母線１夫々からは，前記分岐開閉器を取付け若しくは取外しする方向に複数の分岐開閉器接続部が延出されて形成されている。
【００２７】
図１において，前記手前側には，中性極の母線１１における分岐開閉器接続部１１０１ａと，Ｌ１の電圧極の母線１２における分岐開閉器接続部１２０１ａと，Ｌ２の電圧極の母線１３における分岐開閉器接続部１３０１ａとが，夫々ひとまとまりとなり，手前側の一つの分岐開閉器５に適用される。また，奥側には，中性極の母線１１における分岐開閉器接続部１１０１ｂと，Ｌ１の電圧極の母線１２における分岐開閉器接続部１２０１ｂと，Ｌ２の電圧極の母線１３における分岐開閉器接続部１３０１ｂとが，夫々ひとまとまりとなり，奥側の一つの分岐開閉器５に適用される。図２は，図１の内器ユニットにおける分岐開閉器５並びに分岐開閉器取付板２を省いて，母線構造を示した図である。図３は，前記奥側から母線構造を臨んだ図である。
【００２８】
さて，単相３線式分電盤において，母線から分岐開閉器５に供給される電圧は，通常実効値で１００Ｖ若しくは２００Ｖである。図１における，前記手前側の分岐開閉器には，Ｌ２極の１００Ｖの電圧若しくは２００Ｖの電圧が供給される。また，前記奥側の分岐開閉器には，Ｌ１極の１００Ｖの電圧若しくは２００Ｖの電圧が供給される。
【００２９】
前記手前側に配置される分岐開閉器においては，
該分岐開閉器に選択的に接続される２つの極の母線のうち，
一方のＬ２の電圧極の母線１３における分岐開閉器接続部１３０１ａは手前側の分岐開閉器全てに共通して接続される分岐開閉器接続部であり，
他方の母線としてＬ１の電圧極の母線１２における分岐開閉器接続部１２０１ａを接続する場合には２００Ｖが印加される。
また，他方の母線として中性極の母線１１における分岐開閉器接続部１１０１ａを接続する場合には１００Ｖが印加される。
即ち，前記手前側の分岐開閉器５においては，Ｌ１の電圧極の母線１２における分岐開閉器接続部１２０１ａと中性極の母線１１における分岐開閉器接続部１１０１ａとを選択的に接続することで，該分岐開閉器に供給する電圧を切替できる。
【００３０】
また，前記奥側に配置される分岐開閉器においては，
該分岐開閉器に選択的に接続される２つの極の母線のうち，
一方のＬ１の電圧極の母線１２における分岐開閉器接続部１２０１ｂは奥側の分岐開閉器全てに共通して接続される分岐開閉器接続部であり，
他方の母線としてＬ２の電圧極の母線１３における分岐開閉器接続部１３０１ｂを接続する場合には２００Ｖが印加される。
また，他方の母線として中性極の母線１１における分岐開閉器接続部１１０１ｂを接続する場合には１００Ｖが印加される。
即ち，前記手前側の分岐開閉器５においては，Ｌ２の電圧極の母線１３における分岐開閉器接続部１３０１ｂと中性極の母線１１における分岐開閉器接続部１１０１ｂとを選択的に接続することで，該分岐開閉器に供給する電圧を切替できる。
【００３１】
次に，第１の実施形態に係る母線構造の部品構成について，図４を用いて説明する。
図４は，各極の３つの母線夫々の外形斜視図を示した図である。
前記各極の３つの母線のうち，Ｌ１，Ｌ２の電圧極の母線は同一形状に形成されている。Ｌ２の電圧極の母線１３について説明すると，Ｌ２の電圧極の母線１３は，該母線の幹となる部分１３０が，前記分岐開閉器５を並設する方向に延出され，両端部には母線と他の電機導体を接続するためのネジ端子を配設するための孔が形成されている。
前記幹となる部分１３０には，前記分岐開閉器の分電盤への取付面となる背面から前記操作部が設けられた前面への方向を高さ方向とした場合に，前記高さ方向に略直角に折曲形成された立上がり部１３１が形成され，該立上がり部１３１から，一対の分岐開閉器接続部が，前記幹となる部分１３０と略平行に，互いに反対の方向に一体に延出されている。
前記一対の分岐開閉器接続部のうち，幹となる部分１３０の方向に延出している分岐開閉器接続部１３０１ａは，図１における手前側の分岐開閉器５に共通して接続される分岐開閉器接続部であり，分岐開閉器接続部１３０１ｂは，奥側の分岐開閉器５により選択に接続される分岐開閉器接続部である。
【００３２】
また，Ｌ１の電圧極の母線１２について説明すると，その外形はＬ１の電圧極の母線１３と同一であり，前記２つの分岐開閉器接続部のうち，幹となる部分１２０の方向に延出している分岐開閉器接続部１２０１ｂは，図１における手前側の分岐開閉器５に共通して接続される分岐開閉器接続部であり，分岐開閉器接続部１２０１ａは，手前側の分岐開閉器５により選択に接続される分岐開閉器接続部である。
【００３３】
前記各極の３つの母線のうち，中性極の母線１１について説明すると，該中性極の母線１１の幹となる部分１１０が，前記電圧極の母線と同様に分岐開閉器５を並設する方向に延出され，両端部には母線を前記母線固定台にネジ止め固定するための穴１１０が形成されている。また，中性極の母線の両端部は段差を形成するよう折曲げ形成されて，前記母線固定台３に各極の母線を取付けた場合に，該幹となる部分１１０が前記電圧極の母線１２，１３よりも前記高さ方向において高くなるよう配設される。
【００３４】
また，中性極の母線１１の幹となる部分１１０から，複数の分岐開閉器接続部１１０１ａ，１１０１ｂが，前記幹となる部分１１０と略平行に，互いに反対の方向に一体に延出されている。これら分岐開閉器接続部１１０１ａ，１１０１ｂは，何れも分岐開閉器５に選択的に接続される分岐開閉器接続部である。
【００３５】
また，後述するが，各極の３つの母線を組み合わせた場合における分岐開閉器接続部の位置関係は次のように構成されている。
【００３６】
まず，Ｌ１の電圧極の母線１３における分岐開閉器接続部と，Ｌ２の電圧極の母線１２における分岐開閉器接続部のうち，分岐開閉器５と選択的に接続される分岐開閉器接続部１３０１ｂと１２０１ａとの位置関係は，分岐開閉器の並設方向において，各々の分岐開閉器接続部１３０１ｂと１２０１ａとが交互に，夫々の分岐開閉器接続部の中間に位置するように配設される。そして，各々の分岐開閉器接続部１３０１ｂと１２０１ａは，他方の電圧極の母線の幹となる部分まで突出し，前記前面側からの平面視において，分岐開閉器に共通に接続される分岐開閉器接続部１０３１ａ，１２０１ｂと略同じ長さに形成されている。
【００３７】
次に，中性極の母線１１における分岐開閉器接続部１１０１ａと１１０１ｂとは，分岐開閉器の並設方向において，前記分岐開閉器接続部１３０１ｂ，１２０１ａと同じ位置に配設され，前記前面側からの平面視において，分岐開閉器接続部１１０１ａ，１１０１ｂと略同じ長さに形成されている。なお，中性極の母線１１の幹となる部分１１０は，電圧極の母線１２，１３よりも前記高さ方向において高くなるように配設されているため互いに干渉しない。
【００３８】
即ち，図１における前面側並びに奥側の何れの側においても，分岐開閉器接続部のうち分岐開閉器５に選択的に接続される分岐開閉器接続部１２０１ａと１１０１ａ，並びに１３０１ｂと１１０１ｂは前記前面側からの平面視において，互いに重ならないように配設されている。
【００３９】
また，前記分岐開閉器接続部１２０１ａと１１０１ａ，並びに１３０１ｂと１１０１ｂは夫々の高さを同一に設けて配設されている。
【００４０】
次に，内器ユニットの組み立てについて図５乃至図７を用いて説明を行う。
まず，図５において，前記母線固定台３にＬ１の電圧極の母線１２，Ｌ２の電圧極の母線１３を取付ける。母線固定台３は，夫々母線を絶縁できるよう樹脂材料にて形成され，分岐回路数に応じて，母線の幹となる部分の長さに合わせて種々の大きさのものが用意される。
【００４１】
母線固定台３には，母線の配置が一義的に行われるよう，予め母線の両端部に設けられるネジ端子に対応するナットを嵌め込む凹み部３１１，３１２，３１３が母線取付台３の本体の両端部に設けられ，また，夫々の電圧極における前記立上がり部１３１，１２１に対応する凸部３１４，前記分岐開閉器接続部１３０１ｂ，１２０１ａを互いに絶縁する絶縁壁Ａ３１５，後述する絶縁壁４並びに中性極の母線１１をネジ止め固定するためのネジ止め穴３１６が設けられている。
【００４２】
次に，絶縁壁４に中性極の母線１１を取付ける。絶縁壁４には，中性極の母線１１の取付けが一義的に行われるよう，中性極の母線１１における分岐開閉器接続部１１０１ａ，１１０１ｂを避けて，中性極の母線本体を嵌めこむ嵌め込み部４１１が形成されている。また，絶縁壁４には，中性極の母線１１の分岐開閉器接続部１１０１ａ，１１０１ｂの一部を覆う壁部４１２と，電圧極の母線における分岐開閉器接続部１２０１ａ，１３０１ｂを避けた窪み部４１３とが設けられており，中性極の母線と，電圧極の母線との絶縁が保たれるよう構成されている。また，絶縁壁の両端部には，前記母線固定台３のネジ止め穴３１６を形成するボス３１７に嵌まり合う凹み部４１０が設けられている。
【００４３】
次に，中性極の母線１１を取付けた絶縁壁４を，前記電圧極の母線を取付けた母線固定台３に取付ける。このとき，中性極の母線１１を取付けた絶縁壁４を，前記電圧極の母線を取付けた母線固定台３に前記高さ方向における上部から，前記窪み部４１３が概ね夫々の電圧極の母線の分岐開閉器接続部と重なるように落とし込むことで位置決めができる。そして，前記中性極の母線に設けられたネジ止め固定するための穴１１０にネジを差込み，母線固定台３に設けられたネジ止め穴３１６にネジを締め込むことで取付が完了する。
【００４４】
Ｌ１，Ｌ２の２つの電圧極の母線と，中性極の母線は夫々絶縁壁４並びに絶縁壁Ａ３１５により互いに絶縁され，電気安全が保たれる。
【００４５】
次に，各極の母線並びに絶縁壁４を取付けた母線固定台３を，分岐開閉器取付板２にネジ止め固定することにより取付ける。取付けは，該母線固定台３の背面側に設けられたネジ止め用穴と分岐開閉器取付板２に設けられたネジ止め用穴の位置を合わせて背面側からネジ締めすることにより取付けられる。
【００４６】
次に，分岐開閉器５を，前記各極の３つの母線１の幹となる部分が延出する方向とは直交する方向から前記分岐開閉器取付板２及び分岐開閉器接続部に取付けていく。図８及び図９において，分岐開閉器５の取付けの際は，分岐開閉器の電源側端子５１と，前記分岐開閉器接続部とが対向するように，前記分岐開閉器取付板２に載置し，分岐開閉器接続部の方向に押圧してスライドさせるように取付ける。
【００４７】
分岐開閉器５の電源側端子５１は，一つの共通端子５１２と，一つの選択端子５１１を備えている。これら端子は，何れもネジ締めの必要なく接続が行えるプラグイン端子で構成しており，該プラグイン端子が分岐開閉器接続部の方向に押圧されることにより，プラグイン端子が分岐開閉器接続部をくわえ込み，接続を完了する。
【００４８】
前記選択端子５１１は，分岐開閉器５の並設方向を分岐開閉器５の幅方向とした場合に，該幅方向において往復移動可能に構成されており，分岐開閉器５に供給する電圧に応じて，その位置を分岐開閉器接続部の位置に合うように適宜変更した上で母線に接続する。
【００４９】
例えば，図１における手前側の分岐開閉器を例とした場合，前記選択端子５１１を，分岐開閉器５を母線の方向に向けて取付ける方向に対して右側に移動させた状態で取付ける場合には，該分岐開閉器５に接続される分岐開閉器接続部は，分岐開閉器に共通して接続されるＬ２の電圧極の母線１３の分岐開閉器接続部１３０１ａと，中性極の母線の分岐開閉器接続部１１０１ａであり，分岐開閉器には１００Ｖが印加される。
また，分岐開閉器５を母線の方向に向けて取付ける方向に対して左側に移動させた状態で取付ける場合には，該分岐開閉器５に接続される分岐開閉器接続部は，分岐開閉器に共通して接続されるＬ２の電圧極の母線１３の分岐開閉器接続部１３０１ａと，Ｌ１の電圧極の母線１２の分岐開閉器接続部１２０１ａであり，分岐開閉器には２００Ｖが印加される。
【００５０】
また，図１における奥側の分岐開閉器を例とした場合，前記選択端子５１１を，分岐開閉器５を母線の方向に向けて取付ける方向に対して右側に移動させた状態で取付ける場合には，該分岐開閉器５に接続される分岐開閉器接続部は，分岐開閉器に共通して接続されるＬ１の電圧極の母線１２の分岐開閉器接続部１２０１ｂと，中性極の母線の分岐開閉器接続部１１０１ｂであり，分岐開閉器には１００Ｖが印加される。
また，分岐開閉器５を母線の方向に向けて取付ける方向に対して左側に移動させた状態で取付ける場合には，該分岐開閉器５に接続される分岐開閉器接続部は，分岐開閉器に共通して接続されるＬ１の電圧極の母線１２の分岐開閉器接続部１２０１ｂと，Ｌ２の電圧極の母線１３の分岐開閉器接続部１３０１ｂであり，分岐開閉器には２００Ｖが印加される。
【００５１】
このように，Ｌ１，Ｌ２の電圧極の母線を同一形状に形成し，なおかつ夫々の母線の幹となる部分の延出方向において中性極の両側に点対称に配設しているから，図１における手前側並びに奥側何れにおいても，即ち分電盤におけるどの分岐開閉器においても，分岐開閉器から母線を臨む場合に，選択的に接続する分岐開閉器接続部の中性極と電圧極の位置関係が同一の関係となり，本実施形態の場合には，一つの分岐開閉器への接続対象となるひとまとまりの分岐開閉器接続部のうち，向かって右側が中性極，向かって左側が電圧極となる。
【００５２】
これにより，分岐開閉器における選択端子５１１を同一場所に移動させた状態で母線に接続する場合には，Ｌ１，Ｌ２の違いはあるけれども，何れの分岐開閉器においても同一の電圧の大きさが供給されることとなり，分岐開閉器を図１における手前側並びに奥側のどちらに配置するのか区別することなく，１００Ｖの電圧を分岐開閉器に供給するときには分岐開閉器における電源側端子５１の選択端子５１１の位置を右側にし，２００Ｖの電圧を分岐開閉器に供給するときには分岐開閉器における電源側端子５１の選択端子５１１の位置を左側にすればよく，前記選択端子の位置と供給される電圧の規則性が得られ，電圧の切替に伴う混乱を招くことがなく作業性がよい。
【００５３】
さて，図９に示したように，内器ユニットに分岐開閉器５を取付ける作業を行う際に分電盤を臨む方向，即ち，前記前面側から臨んだ図を用いて説明すると，本実施形態における母線構造では，前記分岐開閉器接続部のうち，選択的に接続される分岐開閉器接続部１２０１ａと１１０１ａ並びに１３０１ｂと１１０１ｂが互いに重ならないように配設されているため，作業者は，分岐開閉器を接続する際に，該分岐開閉器の選択端子５１１に，どちらの分岐開閉器接続部を接続するのかが至って明確に視認できる。
【００５４】
また，図１０に示したように，複数の分岐開閉器が存在する場合においても，母線における選択的に接続される分岐開閉器接続部が明確に視認でき，分岐開閉器の選択端子５１１の位置と相まって，分岐開閉器にどの母線が接続されているのか，即ち母線から供給される電圧がいくらであるのか明確に把握できる。
【００５５】
一部の分岐開閉器において電圧を切替える場合においては，図１１に示したように，一旦，母線から分岐開閉器を取り外し，該分岐開閉器の選択端子５１１の位置を他方に移動させた上で，再度母線の方向に押圧して取付け作業を行う。このときには，視覚的に，分岐開閉器における選択端子５１１の位置が変わり，また，該選択端子５１１と接続される前記分岐開閉器接続部の位置関係が変わるが，その変化を容易に把握できるから，作業者は分岐開閉器に供給する電圧の大きさを明確に把握でき，接続が正しいか否かを視覚的に容易に判断でき，作業効率が上がるとともに，誤接続等を極力防止する効果が期待できる。
【００５６】
尚，本発明は，上記実施形態に限定されるものではなく，本発明の要旨を逸脱しない範囲で種々の変更が可能である。
【００５７】
例えば，各極の母線における分岐開閉器接続部の折曲方向について，上記実施形態においては，前記分岐開閉器接続部を前記前面側から見たときに，母線を形成する導体の板厚方向が，分岐開閉器を併設する方向に並ぶように折曲されている。これは，所定の母線容量を確保しつつ，前記分岐開閉器を併設する方向の大きさが小型化できるメリットがあるからであるが，分岐開閉器接続部の折曲加工を，前記図４における分岐開閉器接続部１３０１ａと同様に，母線の幹となる部分１３０から電圧極の立上り部１３１の方向に沿って延出折曲し，前記板厚が前記前面側から臨まないように形成してもよい。中性極の母線１１の分岐開閉器接続部についても同様に折曲加工する。これにより，分電盤を前面側から臨んだ場合に，分岐開閉器接続部の視認可能な面積が増加し，作業者はどちらの分岐開閉器接続部に分岐開閉器を接続するのかを視認性よく，より明確に把握することができることとなる。また，このように形成した分岐開閉器接続部に，中性極，若しくはＬ１，Ｌ２の電圧極を示す文字（中性極，電圧極）や記号（Ｎ，Ｌ１，Ｌ２），図形（○，□）を記したり，凹凸加工（凹み部，凸部）等を設けて，補完的に分岐開閉器接続部の種類を明示するように構成してもよい。
【産業上の利用可能性】
【００５８】
本発明は，分電盤に設けられる母線構造に適用可能であり，住宅用分電盤のほか，標準盤などにも適用が可能である。
【符号の説明】
【００５９】
１  母線
２  分岐開閉器取付板
３  母線固定台
３１１  中性線の母線
３１２  Ｌ１の電圧極の母線の取付け部
３１３  Ｌ２の電圧極の母線の取付け部
３１４  凸部
３１５  絶縁壁Ａ
３１６  ネジ止め穴
３１７  ボス
４  絶縁壁
４１０  凹み部
４１１  嵌め込み部
４１２  中性極の母線における分岐開閉器接続部を覆う壁部
４１３  電圧極の母線の分岐開閉器接続部を避けた凹み部
５  分岐開閉器
５１  電源側端子
５１１  選択端子
５１２  共通端子
１１  中性極の母線
１１０  幹となる部分
１１０１ａ  分岐開閉器接続部
１１０１ｂ  分岐開閉器接続部
１２  Ｌ１の電圧極の母線
１２０  幹となる部分
１２０１ａ  分岐開閉器接続部
１２０１ｂ  分岐開閉器接続部
１３  Ｌ２の電圧極の母線
１３０  幹となる部分
１３０１ａ  分岐開閉器接続部
１３０１ｂ  分岐開閉器接続部

【図１】
0005441032.tif 000002
【図２】
0005441032.tif 000003
【図３】
0005441032.tif 000004
【図４】
0005441032.tif 000005
【図５】
0005441032.tif 000006
【図６】
0005441032.tif 000007
【図７】
0005441032.tif 000008
【図８】
0005441032.tif 000009
【図９】
0005441032.tif 000010
【図１０】
0005441032.tif 000011
【図１１】
0005441032.tif 000012
【図１２】
0005441032.tif 000013
【図１３】
0005441032.tif 000014
【図１４】
0005441032.tif 000015
【図１５】
0005441032.tif 000016
【図１６】
0005441032.tif 000017